(57)【要約】【課題】自動的に地震予告指令を各駅に配信することを可能とした地震予告一斉指令システムを提供する。【解決手段】指令卓３と駅設備５とを指令制御装置１および通信手段７を介して接続した地震予告一斉指令システムにおいて、指令制御装置１に、緊急地震速報受信装置９からの地震予告情報を検出して指令卓などに通知する地震予告情報検出ユニット１９と、地震予告情報検出ユニット１９からの情報に基づいて地震予告指令を作成する地震予告指令作成手段と、地震予告指令を送出する地震予告指令機能を備えた。【選択図】図１
2009296519.tif 000002
【特許請求の範囲】
【請求項１】
指令卓と駅設備とを指令制御装置および通信手段を介して接続した地震予告一斉指令システムにおいて、
前記指令制御装置に、緊急地震速報受信装置からの地震予告情報を検出して指令卓などに通知する地震予告情報検出ユニットと、地震予告情報検出ユニットからの情報に基づいて地震予告指令を作成する地震予告指令作成手段と、地震予告指令を送出する地震予告指令機能を備えたことを特徴とする地震予告一斉指令システム。
【請求項２】
請求項１記載の地震予告一斉指令システムにおいて、
前記地震予告情報検出ユニットは、緊急地震速報受信装置からの震度に関する情報を接点信号として出力する手段であることを特徴とする地震予告一斉指令システム。
【請求項３】
請求項１または請求項２記載の地震予告一斉指令システムにおいて、
前記地震予告指令作成手段は、前記地震予告情報検出ユニットからの接点信号入力に対応する地震予告指令パターンを記述した地震予告指令テーブルを備えていることを特徴とする地震予告指令一斉指令システム。
【請求項４】
請求項３記載の地震予告一斉指令システムにおいて、
前記地震予告指令機能は、前記地震予告指令作成手段の地震予告指令テーブルに記述された地震予告指令パターンに基づいて地震メッセージを作成した地震予告指令を送出する手段であることを特徴とする地震予告一斉指令システム。
【請求項５】
請求項１乃至請求項４のいずいれか一項記載の地震予告一斉指令システムにおいて、
前記指令制御装置は、地震予告指令送信時に指令卓が通話中であるときにこの通話を切断して地震予告指令を一斉送出することを特徴とする地震予告一斉指令システム。
【発明の詳細な説明】
【技術分野】
【０００１】
本発明は、例えば鉄道会社等における指令本部から各駅設備に対して地震の発生を予告する地震予告情報を一斉指令で送信することを可能とした地震予告一斉指令システムに関する。さらに、詳細には、鉄道会社の通信設備を用いて、緊急地震速報を受信した時点で、各駅設備に設置された複数の指令電話子機や指令用放送装置に対して地震予告指令を一斉に放送することが可能であり、指令業務の円滑化を図ることができる地震予告一斉指令システムに関する。
【背景技術】
【０００２】
鉄道会社の地上系の通信設備として、統合指令室等に指令制御装置を設置し、その指令制御装置内に、路線毎にアナログ専用線トランクを複数収容し、その指令制御装置に接続された付帯装置である指令卓から、アナログ専用線トランクおよびデジタル搬送装置を経由して各駅毎に設置した指令電話子機に対する一斉指令機能を実現する通信一斉指令システムがある。この通信一斉指令システムは、指令員が、指令卓操作によって各路線毎の各駅設備に設置された複数の指令電話子機や指令用放送装置に対する一斉指令通話および放送指令を行なうと同時に、外部傍受トランクを介して接続される外部傍受スピーカにより放送指令を行なう通信一斉指令システムである。
【０００３】
ここで、地震発生時のメカニズムについて説明する。地震が起こると、地震発生地点（震源）でＰ波とＳ波という、速度の異なる揺れの波が同時に発生する。Ｐ波は伝わる速度が速く、地震の最初の小規模な揺れ（初期微動）を起こすのに対して、Ｓ波は、大きな揺れ（主要動）を伴う特徴がある。したがって、直下型の地震発生を除く通常の地震発生の場合、Ｐ波の後に数秒から数十秒遅れてＳ波が到来することになる。従来、地震の発生をＳ波の到来前に予告する地震予告システムとして、このＰ波とＳ波の特徴を利用し、震源に最も近い震源計が先に到達するＰ波を探知した際、気象庁のシステムがそのデータを瞬時に解析し、震源の位置や地震の規模（マグニチュード）および揺れが発生するまでの時間を計算した結果、大きな揺れが予想されると判断された場合、そのデータを含む緊急地震速報を放送局やテレビ局および通信事業者などに転送するシステムが実用化されつつある。
【０００４】
一方、指令卓から配下の指令端末に対して音声指令を行なう一斉指令システムとして、例えば消防一斉指令システムがある。この消防一斉指令システムは、本部内に設置された指令卓からの音声指令が配下の消防指令端末に通信回線を介して送信されるように、指令卓を収容し指令回線トランクを有する消防指令装置と、放送設備と、前記消防指令装置と前記放送設備に接続される非常用設備を備え、前記非常用設備を介して配下の指令端末が前記消防指令装置に接続されて構成されている（例えば、特許文献１参照）。
【０００５】
さらに、指令電話交換システムにおいて、指令卓から配下の各指令端末に対して一斉指令を行なった場合応答しない指令端末や話中の指令端末があっても、それらの指令端末のみに対して再呼び出しするために、指令卓と複数の指令端末を複数の指令用トランクを有する指令電話制御装置を介して接続し、指令卓の指令操作を指令電話制御装置が検出し、指令電話制御装置の指令用トランクを通して指令端末に対して指令を行い、指令端末から応答がない場合、応答がなかった指令端末の不応答情報を記憶装置に記憶し、指令卓から再呼び出し指令操作がなされると、指令電話制御装置が記憶装置に記憶されている不応答情報により指令端末を呼び出すことが提案されている（例えば、特許文献２参照）。
【０００６】
例えば、鉄道における一斉指令システムにおいて、地震予告情報を指令の対象とすることが考えられる。このような上記地震予告情報を配信する一斉指令システムは、前述の緊急地震速報を受信した緊急地震速報受信装置からの信号により、各駅設備に設置された複数の指令電話子機や指令用放送装置に対して一斉に指令することが可能となる。したがって、この一斉指令システムは、緊急地震速報の通知を含めた指令業務の円滑化を行なうことができる。
【０００７】
従来の一斉指令システムの構成を、図８を用いて説明する。従来の一斉指令システムは、複数のアナログ専用線トランク１３と指令卓ライン回路１２と外部傍受トランク１６と録音ユニット１７と保守用コンソール１８を収容する通話路スイッチ１１を備えた指令制御装置１と、前記指令卓ライン回路１２に接続される指令卓３と、前記外部傍受トランク１６に接続される外部傍受スピーカ４と、前記アナログ専用線トランク１３を収容するデジタル搬送装置７と、該デジタル搬送装置７に収容され各駅設備５に設置された指令電話子機５１と指令用放送装置５２と該指令用放送装置５２に接続された駅スピーカ５３とから構成される。
【０００８】
指令制御装置１は、指令卓３からの発信情報を指令卓ライン回路１２、アナログ専用線トランク１３およびデジタル搬送装置７を介して複数の駅設備５の指令電話子機５１および指令用放送装置５２を呼び出す交換機能を備えている他、指令電話子機５１および指令用放送装置５２が応答したことを通知する機能を備えている。指令卓３の主な機能として、指令卓３から複数の駅設備５の指令電話子機５１および指令用放送装置５２を呼出し、応答後の通話中状態において指令卓ライン回路１２を介して通話データの送受信を行なう。指令卓３は、主に統合指令室の指令デスクの机上に置くかまたはデスクの内部に組込まれる。指令卓３内部にはデジタル音声信号をアナログ音声に変換するコーデックや回線構成情報（回線名称データ）を蓄積するメモリが内蔵されている他、回線名称を表示するディスプレイ画面や照光式キースイッチ等が備えられている。
【０００９】
駅設備５の指令電話子機５１および指令用放送装置５２は、主に各駅のホームや駅務室内に設置され、アナログ専用線トランク１３を介して指令制御装置１と接続される２線式アナログ電話機および２線式放送装置である。指令電話子機５１は、指令着信応答時（受話器上げ応答時）に指令制御装置１に対して応答情報（ループ信号）を送出する機能、自動的に応答情報を送出する機能、受話器上げにより自動で指令卓３を呼び出す機能を備えている。指令用放送装置５２は、指令卓３からの指令着信時に、自動的に応答情報（ループ信号）を送出する機能や放送アンプを起動して駅スピーカ装置５３により放送する機能を備えている。
【００１０】
また、統合指令室には外部傍受トランク１６を介して指令制御装置１に接続される外部傍受スピーカ４を備え付けており、前記指令電話子機５１および指令用放送装置５２に対する指令卓３からの一斉指令と同時に外部傍受スピーカ４からその指令内容を放送することが可能とされている。なお、指令員による指令卓３からの手動操作による各種端末に対する一斉指令放送機能の他に、予め録音ユニット１７に蓄積された音声メッセージを指令電話子機５１および指令用放送装置５２ならびに外部傍受スピーカ４に対して該当する音声メッセージを定期的な時間に出力する機能を有する。
【００１１】
このような鉄道の一斉指令システムでは、指令制御装置１は、指令卓ライン回路１２を介して接続された指令卓３の一斉指令画面上に表示された指令呼出キー押しにより一斉指令呼出しを行ない、指令制御装置１内のアナログ専用線トランク１３を介して各駅設備５に設置された指令電話子機５１を一斉に呼出す機能や、外部傍受トランク１６を介して接続される外部傍受スピーカ４により放送する機能を備えていた。また、各駅設備５に設置された指令用放送装置５２に対しては、指令呼出によりスピーカ装置５３から指令放送をおこなっていた。
【００１２】
指令操作によって呼び出された指令電話子機５１は着信リンガが鳴動し、受話器上げにより、指令卓３に対して応答情報を送出する機能がある。応答情報を送出する機能は、指令卓３により一斉指令をおこない、各駅の駅務員が在室により応答したことを識別するために必要な機能であり、指令員は、この各駅指令電話子機応答情報を指令卓の一斉指令画面の回線表示部が点滅（呼出中）から点灯（子機応答）に切り替わったことにより識別し、応答状態を見計らって指令開始キーを押下して指令放送を開始する。指令放送が開始されると、受話器を上げた指令電話子機５１により通話をおこなうことが可能となる。また、駅務員不在の駅に対しては、指令放送が終了するまで呼び続け、指令放送途中に受話器を上げることにより、途中参加で指令放送内容を聴取することができる。
【００１３】
指令放送に最初から対応できず途中から参加する場合でも、受話器を上げることにより、指令卓３に対して応答情報（回線表示部が点滅点灯（呼出中）から連続点灯（子機応答）に切り替わること）を送出することが可能とされている。また、指令放送によって呼び出された指令用放送装置５２は、指令卓３からの呼出信号を検出する機能を内蔵しており、着信に対して自動で回線ループを形成し、指令用放送装置５２の駅スピーカ５３から指令員の指令内容を放送することや、予め録音ユニット１７に録音した放送内容を定刻に指令制御装置１を起動して駅スピーカ５３から自動指令音声を放送することが可能である。
【００１４】
なお、指令制御装置１および指令卓３の回線構成データは、保守コンソール１８により設定される。しかしながら、図８による従来の一斉指令システム構成では、指令員によって緊急時の連絡を行なう構成であることから、災害時に各駅や列車運転者に対して災害予知および災害発生状況を瞬時に伝達できない場合が想定される。また、指令員の安全確保や緊急避難が必要となり緊急指令業務をおこなえない状況となって指令卓を操作できない場合は、各駅設備のホームや駅務室内指令電話子機５１および指令用放送装置５２ならびに外部傍受スピーカ４に対する指令を放送できないケースが想定される。
【００１５】
これら上記手動操作による一斉指令機能に対して、緊急地震速報を迅速且つ円滑に各駅に自動で指令を行ないたいという要望があり、指令業務においても、効率向上および簡素化の傾向にある。
【００１６】
近時、緊急地震速報の一般向け提供が開始された。この緊急地震速報とは、地震が発生した際に、大きな揺れが来るまでの残りの時間や予測震度などを警告として配信する情報サービスである。緊急地震速報は、これまでは、企業や官公庁等へ対してのみ配信が行われていたが、現在では地上波テレビ局やケーブルテレビ会社および通信事業者各社からテレビやパソコン等を使って一般民需向けに地震予告を提供するサービスが可能となっている。これにより、鉄道関係でも緊急地震速報を用いた各種サービスが利用可能となった。
【００１７】
しかしながら、図８に示す従来の鉄道における一斉指令システムでは、従来の指令員による緊急時の連絡手段の場合、各駅や列車運転者に対して災害予知および災害発生状況を瞬時に伝達できない場合が想定され、また、指令員の安全確保や緊急避難が必要な場合は、指令業務を優先できないケースがある。
【特許文献１】：特開平０７−０４６２０７号公報
【特許文献２】：特開平０７−０７９２８７号公報
【発明の開示】
【発明が解決しようとする課題】
【００１８】
上記従来技術に鑑み、本発明は、自動的に地震予告指令を各駅に配信することを可能とし、緊急時における指令員による各駅や列車運転者に対する地震発生予告および地震発生状況を瞬時に伝達することを可能とした地震予告一斉指令システムを提供することを、課題とする。
【課題を解決するための手段】
【００１９】
上記目的を達成するために、本発明は、指令卓と駅設備とを指令制御装置およびデジタル搬送装置を介して接続した地震予告一斉指令システムにおいて、前記指令制御装置に、緊急地震速報受信装置からの地震予告情報を検出して指令卓などに通知する地震予告情報検出ユニットを設けることにより、地震予告指令機能を備えた。
【００２０】
また、本発明は、業務上の一斉指令放送中でも、緊急地震速報受信装置からの地震予告情報検出を優先させることにより、指令制御装置が一斉指令放送を強制的に切断して、地震予告指令に放送内容を切り替える機能を有する。
【発明の効果】
【００２１】
本発明の地震予告指令機能を、従来の一斉指令システムが有する、指令員が手動操作することによって各駅設備の指令電話子機や指令放送用装置に対して一斉指令を行なう機能および指令員の指令内容や放送内容を予め録音しておき定刻に指令制御装置を起動して自動指令音声を駅設備の指令放送用装置の放送用駅スピーカ装置から放送する自動指令機能に組み合わせることにより、Ｐ波検知装置からの地震予告情報を指令制御装置で検出し、地震予告指令を各駅設備の指令電話子機や指令放送用装置に対して地震予告指令を一斉に放送することが可能となる。
【００２２】
また、本発明によれば、付加機能として、指令卓が故障した場合や、指令卓に電源が供給できなくなった停電等の場合でも、指令卓による各駅の指令電話子機や指令放送用装置に対する一斉指令状態を確認できなくても、指令制御装置が独自に動作することにより、地震予告指令を各駅設備の指令電話子機や指令放送用装置に対して自動的に一斉指令放送することが可能となる。
【００２３】
上記のように構成された地震予告指令機能によれば、自動地震予告指令を可能とすることにより、指令員による緊急時の各駅や列車運転者に対して災害予知および災害発生状況を瞬時に伝達することが可能である。
【発明を実施するための最良の形態】
【００２４】
図１を用いて本発明にかかる地震予告一斉指令システムの構成を説明する。本発明にかかる地震予告一斉指令システムは、指令制御装置１と、指令制御装置１に収容される指令卓３と、外部傍受用スピーカ４と、緊急地震速報受信装置９と、デジタル搬送装置７と、該デジタル搬送装置７に収容される駅設備５とから構成される。
【００２５】
本発明にかかる地震予告一斉指令システムの基本構成は、図８に示した従来の一斉指令システムの構成およびその機能と同じ機能を有している。本発明においては、従来の一斉指令システムに、緊急地震速報受信装置からの地震発生予告情報に基づいて震度に関する情報を出力する地震予告情報検出ユニット９を備えた点に特徴を有している。
【００２６】
指令制御装置１は、通話路スイッチ１１と、該通話路スチッチ１１に収容される指令卓ライン回路１２、アナログ専用線トランク１３、外部傍受トランク１６、録音ユニット１７、保守用コンソール１８、地震予告情報検出ユニット１９と、通話路スイッチ１１にバスを介して接続された中央処理装置１４および主記憶装置１５とから構成される。
【００２７】
通話路スイッチ１１は、収容された指令卓ライン回路１２、アナログ専用線トランク１３、外部傍受トランク１６、録音ユニット１７、保守用コンソール１８、地震予告情報検出ユニット１９を、中央演算装置１４からの指示により相互に接続する働きを有している。
【００２８】
指令卓ライン回路１２は、指令卓３を通話路スイッチ１１に収容するライン回路である。
【００２９】
アナログ専用線トランク１３は、アナログ専用線を通話路スイッチ１１に収容するトランクである。
【００３０】
中央演算装置１４は、指令制御装置１の各種動作等を制御する装置である。
【００３１】
主記憶装置１５は、指令制御装置１のプログラムや処理に必要なデータなどを格納する記憶手段である。
【００３２】
外部傍受トランク１６は、外部傍受用スピーカ４を通話路スイッチ１１に収容するトランクである。
【００３３】
録音ユニット１７は、指令卓３と駅設備５との間の通話内容や地震予告情報検出ユニットが検出した地震予告情報などを格納する記憶手段である。さらに、録音ユニット１７は、緊急時に自動的に発せられる緊急指令を記録しておく記憶手段である。
【００３４】
保守用コンソール１８は、一斉指令システムを保守するためのパソコンなどからなる保守手段である。
【００３５】
地震予告情報検出ユニット１９は、緊急地震速報受信装置９を通話路スイッチ１１に収容し、緊急地震速報受信装置９からの地震予告情報を検出して指令卓３、各駅設備５などへ通知する手段である。地震予告情報検出ユニット１９は、複数の例えば震度レベル区分に該当する接点回路を有している。
【００３６】
駅設備５は、各駅に配置される通信設備であり、指令卓３と通話可能な指令電話子機５１と、指令卓３や録音ユニットからの指令や地震予告情報などを駅構内に放送する指令用放送装置５２と、駅スピーカ５３とからなる。指令電話子機５１は、指令制御装置１にデジタル搬送装置７およびアナログ専用線トランク１３を経由して接続される。
【００３７】
デジタル搬送装置７は、指令制御装置１のアナログ専用線トランク１３からの信号をデジタル信号に変換して各駅設備５へ搬送する装置である。
【００３８】
緊急地震速報受信装置９は、緊急地震速報を受信すると、緊急地震速報から予測される震度レベルを検出し、地震予告情報検出ユニット１９の該当する震度レベル区分に相当する接点回路のいずれかに対して接点信号出力を送出する機能を有している。
【００３９】
上記構成を有する一斉指令システムは、指令卓３と各駅設備５の間で、各種指令およびその応答などを送受信する。さらに、上記一斉指令システムは、緊急地震速報受信装置９からの地震予告情報を検出し、各駅設備５に伝送する働きを有している。
【００４０】
指令制御装置１は、地震予告情報検出によってアナログ専用線トランク１３を複数同時に起動して指令電話子機５１を一斉に呼出し放送する機能、外部傍受トランク１６を介して接続される外部傍受スピーカ４により指令などを放送する働きを有している。
【００４１】
指令制御装置１は、地震予告情報検出によって前記アナログ専用線トランク１３を複数同時に起動して指令電話子機５１を一斉に呼出し放送する機能、指令卓３から指令電話子機５１に対して一斉指令中に地震予告情報を検出すると、指令卓３からの一斉指令を切断し、地震予告情報を指令電話子機５１に一斉指令する機能を有している。
【００４２】
図２を用いて、地震予告一斉指令システムを構成する指令卓３の外観構成を説明する。指令卓３は、ディスプレイ部３１と、複数の回線キー部３２と、ハンドセットモジュラージャック３３と、ハンドセット置き台３４と、フックスイッチ３５と、モニタスピーカ３６と、音量調節用ボリューム３７と、モニタ音声検知ＬＥＤ３８とを有して構成される。
【００４３】
ディスプレイ部３１は、例えばＬＣＤなどのディスプレイ装置からなり、指令呼出画面や地震予告指令画面などを表示する。
【００４４】
回線キー３２は、各駅設備と接続する回線を示すキーであり、該当する回線キー３２を押下げることにより各駅との接続が確立され相互に通信が可能となる。
【００４５】
ハンドセットモジュラージャック３３は、図示を省略したハンドセットモジュラーを接続するジャックである。
【００４６】
ハンドセット置台３４は、図示を省略したハンドセットを載置する台である。
【００４７】
フックスイッチ３５は、ハンドセットをオフフックしたことを検知する手段である。
【００４８】
モニタスピーカ３６は、ハンドセットをオンフックした状態で音声をモニタするスピーカである。
【００４９】
ボリューム３７は、通話音声の音量を制御する手段である。
【００５０】
モニタ音声検知ＬＥＤ３８は、モニタ音量の大小を表示する表示手段である。
【００５１】
上記ハンドセットに加えて、レシーバとマイクロホンからなるヘッドセットを用いることができる。
【００５２】
図３を用いて、指令卓３のディスプレイ部３１の構成の例を説明する。ディスプレイ部３１には、画面タイトル表示部３１１と、回線表示部３１２と、詳細情報表示部３１３と、指令呼出キー３１４と、指令開始キー３１５とが表示される。
【００５３】
画面タイトル表示部３１１は、ディスプレイ部３１に表示される画面のタイトルを表示する部分である。
【００５４】
回線表示部３１２は、回線キー３２の状態を表示する部分である。例えば、回線呼出中には当該回線を点滅表示させ、回線応答時には当該回線を連続点灯表示させる。
【００５５】
詳細情報表示部３１３は、指令画面の内容をより詳細に表示する部分であり、この例では地震発生予告指令の画面であることを示している。
【００５６】
指令呼出キー３１４は、選択された回線を呼出す手段である。
【００５７】
指令開始キー３１５は、選択された回線に指令の一斉送出を開始するキーである。
【００５８】
指令操作によって呼び出された指令電話子機５１は着信リンガが鳴動し、受話器上げにより、指令卓３に対して応答情報を送出する機能がある。応答情報を送出する機能は、指令卓３により一斉指令をおこない、各駅設備の駅務員が在室により応答したことを識別するために必要な機能であり、指令員は、この各駅指令電話子機応答情報を指令卓の一斉指令画面の回線表示部３１２が点滅点灯（呼出中）から連続点灯（子機応答）に切り替わったことにより識別し、応答状態を見計らって指令開始キー３１５を押下して指令放送を開始する。指令放送が開始されると、受話器を上げた指令電話子機５１により通話をおこなうことが可能となる。また、駅務員不在の駅に対しては、指令放送が終了するまで呼び続け、指令放送途中に受話器を上げることにより、途中参加で指令放送内容を聴取することができる。
【００５９】
なお、指令放送の途中参加でも、受話器を上げることにより、指令卓３に対して応答情報（回線表示部３１２が点滅（呼出中）から点灯（子機応答）に切り替わること）を送出することが可能とされている。また、指令放送によって呼び出された指令用放送装置５２は、指令卓３からの呼び出し信号を検出する機能を内蔵しており、着信に対して自動で回線ループを形成し、指令用放送装置５２の放送用スピーカ装置５３から指令員の指令内容を放送することや、予め録音ユニット１７に録音した放送内容を定刻に指令制御装置１を起動して駅スピーカ５３から自動指令音声を放送することが可能である。
【００６０】
指令制御装置１の主記憶装置１５に格納される地震予告指令テーブルの構造の例を、図４を用いて説明する。地震予告指令テーブルは、接点入力信号と地震発生時刻をパラメータとしてそれぞれの地震予告指令のパターンを記述したテーブル１と、テーブル１に記述されたそれぞれのパターンに対応した地震予告指令の内容を記述したテーブル２とからなる。テーブル１には、接点入力と地震発生時間毎の地震予告指令の複数のパターンが記述される。テーブル２には、各パターン毎に、地震予告指令の指令先、メッセージ内容、送出時間などの地震予告指令の内容が記述される。指令先には、指令先の駅設備が記述される。メッセージ内容には、地震発生の予告と震度と地震発生までの時間などが記述される。この記述の内容は音声によって記述されて良く、この場合には、メッセージ内容が録音されている録音ユニット１７におけるアドレスを記述することができる。送出時間には、メッセージを送出する時間を記述する。
【００６１】
以下、図面に基づいて本発明の地震予告一斉指令システムの実施の形態を説明する。統合指令室（指令制御装置１、指令卓ライン回路１２、指令卓３、アナログ専用線トランク１３、外部傍受トランク１６、外部傍受スピーカ４、録音ユニット１７、緊急地震速報受信装置９、地震予告情報検出ユニット１９、保守用コンソール１８設置側）からデジタル搬送装置７を介しての各駅設備（指令電話子機５１および指令用放送装置５２、駅スピーカ装置５３設置側）５に対しての情報伝達方法について詳細に説明する。
【００６２】
本発明の地震予告一斉指令システムにおける地震予告指令機能について、図１および図５を用いて説明する。緊急地震速報受信装置９は、緊急地震速報を受信すると（Ｓ１）、地震予告情報検出ユニット１９の該当する震度レベル区分に相当する回路に対して接点出力を送出する。地震予告情報検出ユニット１９は、接点入力を検出する（Ｓ２）。演算装置１４は、指令卓３が使用中（指令中）か否かを判断する（Ｓ３）。指令卓３が使用中であるときには、この指令を強制切断して地震予告指令を開始する（Ｓ４）。このとき地震予告情報検出ユニット１９からの接点情報を指令制御装置１が解析処理することにより、指令卓３のディスプレイ部３１に地震予告指令画面（図３）が自動で表示される。地震予告指令画面上には、画面タイトル表示部３１１および詳細情報表示部３１３により、地震予告指令が起動したことを識別することができる。画面上の指令該当回線表示部３１２が一斉に点滅表示し、指令呼出キー３１４および指令開始キー３１５が自動で点灯する。
【００６３】
ステップＳ３で指令卓３が使用中でないときおよびステップＳ４の後に、指令制御装置１は、全ての駅設備の指令電話子機５１および指令用放送装置５２に地震予告指令を自動送信するとともに、指令電話子機５１および駅スピーカ装置５３ならびに外部傍受スピーカ４から地震予告指令を一定時間出力する（Ｓ５）。各駅設備５の指令電話子機５１および指令用放送装置５２と、外部傍受スピーカ４から、予め録音ユニット１７に録音しておいた地震予告指令メッセージが放送される。指令員は指令卓３の回線表示部３１２により指令電話子機５１の応答状態を識別する（Ｓ６）。すなわち、それぞれの指令電話子機５１−１〜５１−ｎが受話器を上げて応答することにより、指令卓３の地震予告指令画面（図３）上の該当する回線表示部３１２が点滅点灯から連続点灯に切り替わり、それぞれの指令電話子機５１が応答したことを識別することができる。
【００６４】
その後、指令制御装置１は自動復帰し（Ｓ７）、Ｓ４で指令卓３を強制切断した場合には指令卓３を復旧し（Ｓ８）、各駅設備５の指令電話子機５１および指令用放送装置５２を復旧して（Ｓ９）、地震予告指令の自動放送処理を停止する。
【００６５】
緊急地震速報受信装置９と地震予告情報検出ユニット１９に類似したＬＡＮネットワーク装置を介した情報伝達手段が一般的であるが、ＬＡＮネットワーク装置では、ネットワーク上のデータ伝送負荷等により、地震情報の伝達が遅延する可能性が有る他、ネットワクーク障害等により地震情報を検出できない場合が想定されるため、本発明では、電気的な接点信号の伝達手段を採用することによる、伝達のレスポンスを向上および信頼性を確保するようにした。
【００６６】
上記地震発生時における地震予告指令接続シーケンスの第１の例を、図６を用いて説明する。この例は、緊急地震速報を受信した後指令卓から指令員が地震予告指令を一斉送信する例である。緊急地震速報受信装置９が緊急地震速報を受信するとその内容を地震予告情報検出ユニット１９に送信し、地震予告情報検出ユニット１９は震度レベル区分を示す接点入力情報および緊急地震速報に含まれるその余の情報を指令制御装置１へ送出する（Ｓ１１）。指令制御装置１は接点入力情報およびその余の情報に対応した地震予告指令（例えば、地震予告指令を通知する駅設備の選択、Ｓ波到着までの時間、予想される震度、列車に対する緊急停止指示などの情報を含んだ指令）を指令卓３に送る（Ｓ１２）。
【００６７】
地震予告指令を受信した指令卓３には、選択された駅設備（回線表示部３１２）が呼出中であること表示（表示ランプの点滅）、地震予告指令の表示（詳細情報表示部３１３）などを行い（Ｓ１３）、指令員が呼出開始キー３１４を押下げることにより、選択された駅設備５に対する呼出信号をアナログ専用線トランク１３を経由して（Ｓ１４）、該当する駅設備５の指令電話子機５１および指令用放送装置５２へ一斉送信して、指令電話子機５１および指令用放送装置５２を呼び出す（Ｓ１５）。
【００６８】
指令電話子機５１および指令用放送装置５２が応答（駅員による受話器上げまたは自動応答）すると、応答信号を指令卓３へ送信する（Ｓ１６）。応答信号を受けた指令卓３の回線表示部３１２の回線は呼出状態（表示灯点滅）から通話状態（表示灯点灯）に移行し（Ｓ１７）、指令開始キー３１５を押下げて地震予告指令を一斉送信する（Ｓ１８）。指令電話子機５１または指令用放送装置５２は地震予告指令を聴取することが可能となり、地震予告指令に含まれる地震発生内容に応じた対応をとることが可能となる。
【００６９】
このようにして、指令制御装置１は、地震予告指令を送信した後、自動復旧し（Ｓ１９）、指令卓３に対して指令画面復旧を通知する（Ｓ２０）とともに、指令電話子機５１および指令用放送装置５２に対する呼出しを停止する（Ｓ２０）。
【００７０】
指令卓３のディスプレイ部３１は、回線表示部３１２の回線点灯が消灯し回線空きを表示するとともに、詳細情報表示部３１３の地震予告指令の表示は通常の指令表示に変更される（Ｓ２２）。
【００７１】
上記地震予告指令接続シーケンスは、指令員が指令卓３から指令を送出する態様を説明したが、指令制御装置１が直接かつ自動的に地震予告指令を一斉送出する場合の地震予告指令接続シーケンスを、図７を用いて説明する。
【００７２】
緊急地震速報受信装置９が緊急地震速報を受信するとその内容を地震予告情報検出ユニット１９に送信し、地震予告情報検出ユニット１９は震度レベル区分を示す接点入力情報を含む緊急地震速報を指令制御装置１へ送出する（Ｓ１１）。指令制御装置１は接点入力情報を含む緊急地震速報に対応した地震予告指令（例えば、地震予告指令を通知する駅設備の選択、Ｓ波到着までの時間、予想される震度、列車に対する緊急停止指示などの情報を含んだ指令）を、地震予告指令テーブルを参照して録音ユニット１７から読み出し、指令卓３に送る（Ｓ１２）とともに、アナログ専用線トランク１３を経由して対応する駅設備５の指令電話子機５１または指令用放送装置５２に呼出信号を一斉に送出する（Ｓ３１）。
【００７３】
地震予告指令を受信した指令卓３には、選択された駅設備（回線表示部３１２）が呼出中であることの表示（表示ランプの点滅）、地震予告指令の表示（詳細情報表示部３１３）などを行う（Ｓ１３）。
【００７４】
指令電話子機５１および指令用放送装置５２が応答（駅員による受話器上げまたは自動応答）すると、応答信号を指令制御装置１へ送信する（Ｓ３２）。応答信号を受けた指令制御装置１は応答信号を指令卓３に送出し（Ｓ３３）、指令卓３の回線表示部３１２の回線は呼出状態（表示灯点滅点灯）から通話状態（表示灯連続点灯）に移行する（Ｓ１７）。指令制御装置１は、録音ユニット１７に記録された地震予告指令を指令電話子機５１および指令用放送装置５２へ一斉送信する（Ｓ３３）。指令電話子機５１または指令用放送装置５２は地震予告指令を聴取することが可能となり、地震予告指令に含まれる地震発生内容に応じた対応をとることが可能となる。また、指令制御装置１は、地震予告指令を指令卓３に送出する（Ｓ３４）。指令端末３からも、地震予告指令が出力される。
【００７５】
このようにして、指令制御装置１は、地震予告指令を送信した後、自動復旧し（Ｓ１９）、指令卓３に対して指令画面復旧を通知する（Ｓ２０）とともに、指令電話子機５１および指令用放送装置５２に対する呼出しを停止する（Ｓ２１）。
【００７６】
指令卓３のディスプレイ部３１は、回線表示部３１２の回線点灯が消灯し回線空きを表示するとともに、詳細情報表示部３１３の地震予告指令の表示は通常の指令表示に変更される（Ｓ２２）。
【００７７】
以上説明したように、本発明にかかる指令制御装置１は、地震予告指令を検出した時に、予め保守用コンソール１８で設定された複数の指令電話子機５１および指令用放送装置５２を自動で一斉に呼び出す機能を備えている。また、指令卓３には、未応答の指令電話子機５１を確認する機能を備えており、再度未応答の指令電話子機５１を手動で呼び出すことができる。また、付加機能として、指令卓３が故障した場合や、指令卓３に電源が供給できなくなった停電等によって、指令卓３による各駅設備５の指令電話子機５１や指令放送用装置５２に対する一斉指令状態が確認できなくなった場合でも、指令制御装置１の独立動作により、地震予告指令を各駅設備５の指令電話子機５１や指令放送用装置５２に対して一斉指令放送が可能となる。また、業務上の一斉指令放送中でも、緊急地震速報受信装置９からの地震予告情報検出を優先させ、指令制御装置１により、一斉指令放送を強制的に切断して、地震予告指令を優先させることが可能となり、いかなる状況下でも地震予告指令を優先して制御できる機能を指令制御装置１に内蔵している。
【図面の簡単な説明】
【００７８】
【図１】本発明の実施の形態における地震発生予告一斉指令システム構成図。
【図２】指令卓外観図。
【図３】指令卓画面レイアウト図。
【図４】地震予告指令テーブルの構造を説明する図。
【図５】地震予告指令時のシステム動作フローを説明する図。
【図６】地震予告指令接続シーケンスを説明する図。
【図７】地震予告指令接続シーケンス第２の例を説明する図。
【図８】従来の一斉指令システム構成図。
【符号の説明】
【００７９】
１：指令制御装置
１１：スイッチ回路
１２：指令卓ライン回路
１３：アナログ専用線トランク
１４：中央演算装置
１５：主記憶装置
１６：外部傍受トランク
１７：録音ユニット
１８：保守用コンソール
１９：地震予告情報検出ユニット
３：指令卓
３１：．ディスプレイ部
３１１：画面タイトル表示部
３１２：回線表示部
３１３：詳細情報表示部
３１４：指令呼出キー
３１５：指令開始キー
３２：回線キー部
３３：ハンドセット接続モジュラージャック
３４：ハンドセット置き台座
３５：フックスイッチ
３６：モニタスピーカ
３７：モニタスピーカボリューム
３８：モニタ音声検地ＬＥＤ
４：外部傍受スピーカ
５：駅設備
５１：指令電話子機
５２：指令用放送装置
５３：駅スピーカ
７：デジタル搬送装置
９：緊急地震速報受信装置
【図１】
2009296519.tif 000003
【図２】
2009296519.tif 000004
【図３】
2009296519.tif 000005
【図４】
2009296519.tif 000006
【図５】
2009296519.tif 000007
【図６】
2009296519.tif 000008
【図７】
2009296519.tif 000009
【図８】
2009296519.tif 000010